(57)【要約】【課題】　光ピックアップアクチュエータ及びそれを採用した光ディスクドライブを提供することを目的とする。【解決手段】　対物レンズが搭載されたブレードと、ブレードをホルダに対して遊動可能に支持する複数のワイヤと、ブレードに設置された平板コイルと、平板コイルに流れる電流との相互作用で電磁気力を発生させるマグネットと、平板コイルに接続し、ワイヤの一端部が連結されるようにブレード本体に設けられた導電性メッキ端子と、を含んで構成される光ピックアップアクチュエータ。【選択図】　図２
2004127492.tif 000002
【特許請求の範囲】
【請求項１】
　対物レンズが搭載されたブレードと、前記ブレードを所定ホルダに対して遊動可能に支持する複数のワイヤと、前記ブレードに設置されたコイルと、前記コイルに流れる電流との相互作用で電磁気力を発生させるマグネットと、前記ワイヤを通じて電源からの電流を前記コイルに供給できるように前記ワイヤ及びコイルを電気的に連結する連結手段と、を備える光ピックアップアクチュエータにおいて、
　前記連結手段は、
　前記コイルに接続され、前記ワイヤの一端部が連結されるように前記ブレード本体に設けられた導電性メッキ端子を含むことを特徴とする光ピックアップアクチュエータ。
【請求項２】
　前記コイルは、平板コイルであることを特徴とする請求項１に記載の光ピックアップアクチュエータ。
【請求項３】
　前記導電性メッキ端子は、銀メッキ材質であることを特徴とする請求項１に記載の光ピックアップアクチュエータ。
【請求項４】
　前記導電性メッキ端子は、前記コイルに接続する接続部と、前記ワイヤの一端部が半田づけ固定される半田づけ部と、を含み、前記半田づけ部は前記接続部に比べてブレード外側に突出したことを特徴とする請求項１に記載の光ピックアップアクチュエータ。
【請求項５】
　前記ブレードは、前記ワイヤが連結される部位が突出した形状よりなることを特徴とする請求項１に記載の光ピックアップアクチュエータ。
【請求項６】
　前記ブレードは、モールドであることを特徴とする請求項１に記載の光ピックアップアクチュエータ。
【請求項７】
　記録媒体であるディスクを回転させるスピンドルモータと、対物レンズの位置を制御する光ピックアップアクチュエータとを備えてその対物レンズを通じて前記ディスクの所望の位置に光を照射して情報を記録または再生する光ピックアップを含む光ディスクドライブにおいて、
　前記光ピックアップアクチュエータは、対物レンズが搭載されたブレードと、前記ブレードを所定ホルダに対して遊動可能に支持する複数のワイヤと、前記ブレードに設置されたコイルと、前記コイルに流れる電流との相互作用で電磁気力を発生させるマグネットと、前記ワイヤを通じて電源からの電流を前記コイルに供給できるように前記ワイヤとコイルとを電気的に連結する連結手段と、を備え、
　前記連結手段は、前記コイルに接続し、前記ワイヤの一端部が連結されるように前記ブレード本体に設けられた導電性メッキ端子を含むことを特徴とする光ディスクドライブ。
【請求項８】
　前記コイルは、平板コイルであることを特徴とする請求項７に記載の光ディスクドライブ。
【請求項９】
　前記導電性メッキ端子は、銀メッキ材質であることを特徴とする請求項７に記載の光ディスクドライブ。
【請求項１０】
　前記導電性メッキ端子は、前記コイルに接続する接続部と、前記ワイヤの一端部が半田づけ固定される半田づけ部を含み、前記半田づけ部は前記接続部に比べてブレード外側に突出したことを特徴とする請求項７に記載の光ディスクドライブ。
【請求項１１】
　前記ブレードは、前記ワイヤが連結される部位が突出した形状よりなることを特徴とする請求項７に記載の光ディスクドライブ。
【請求項１２】
　前記ブレードは、モールドであることを特徴とする請求項７に記載の光ディスクドライブ。
【請求項１３】
　一側に導電性メッキ端子が備えられた移動可能なブレードと、
　前記移動可能なブレードを支持し、前記導電性メッキ端子に電流を供給する複数のワイヤと、
　前記ブレードの２つの反対面に配置されて前記導電性メッキ端子から電流を受けて通電時の電磁気力によって前記移動可能なブレードを駆動させるコイルと、を含む光ピックアップアクチュエータ。
【請求項１４】
　前記導電性メッキ端子は、銀を含む導電性材質であることを特徴とする請求項１３に記載の光ピックアップアクチュエータ。
【請求項１５】
　前記ワイヤと前記導電性メッキ端子とを連結する連結部材をさらに含むことを特徴とする請求項１３に記載の光ピックアップアクチュエータ。
【請求項１６】
　前記連結部材は、前記コイルがワイヤに接触することを防止するために前記導電性メッキ端子より前記ブレードからさらに突出した半田づけ部を含むことを特徴とする請求項１５に記載の光ピックアップアクチュエータ。
【請求項１７】
　前記連結部材は、前記コイルがワイヤに接触することを防止するために前記ワイヤが連結される位置で前記ブレードから突出したことを含むことを特徴とする請求項１に記載の光ピックアップアクチュエータ。
【請求項１８】
　ディスクを回転させるスピンドルモータと、対物レンズの位置を制御する光ピックアップアクチュエータと、を備えてその対物レンズを通じて前記ディスクの所望の位置に光を照射して情報を記録または再生する光ピックアップを含む光ディスクドライブにおいて、
　前記光ピックアップアクチュエータは、
　一側に導電性メッキ端子が備えられた移動可能なブレードと、
　前記移動可能なブレードを支持し、前記導電性メッキ端子に電流を供給する複数のワイヤと、
　前記ブレードの２つの反対面に配置されて前記導電性メッキ端子から電流を受けて通電時の電磁気力によって前記移動可能なブレードを駆動させるコイルと、を含む光ディスクドライブ。
【請求項１９】
　前記導電性メッキ端子は、銀を含む導電性材質であることを特徴とする請求項１８に記載の光ディスクドライブ。
【請求項２０】
　前記ワイヤと前記導電性メッキ端子とを連結する連結部材をさらに含むことを特徴とする請求項１８に記載の光ディスクドライブ。
【請求項２１】
　前記連結部材は、前記コイルがワイヤに接触することを防止するために前記導電性メッキ端子より前記ブレードからさらに突出した半田づけ部を含むことを特徴とする請求項２０に記載の光ディスクドライブ。
【請求項２２】
　前記連結部材は、前記コイルがワイヤに接触することを防止するために前記ワイヤが連結される位置で前記ブレードから突出したことを含むことを特徴とする請求項２０に記載の光ディスクドライブ。
【発明の詳細な説明】
【技術分野】
【０００１】
　本発明は光ピックアップアクチュエータ及びそれを採用した光ディスクドライブに係り、特に平板コイルを使用する光ピックアップアクチュエータ及び光ディスクドライブに関する。
【背景技術】
【０００２】
　一般的に、光ディスクドライブにはスピンドルモータによって回転するディスクに/から情報を記録/再生するための光ピックアップが備えられている。この光ピックアップは対物レンズを通じて前記ディスクに光を照射して情報を記録するか、またはそれから反射される光を受光して情報を再生する装置であって、光がディスクの正確な位置に照射されるように対物レンズの位置を制御するアクチュエータを備えている。
【０００３】
　図１は、このような光ピックアップアクチュエータであって、従来に採用された構造を示す。
【０００４】
　図示された光ピックアップアクチュエータは、対物レンズ１が搭載されるブレード２と、ブレード２をホルダ３に対して遊動可能に支持する複数のワイヤ７と、前記ブレード２をフォーカス方向及びトラッキング方向に駆動させつつ対物レンズ１の位置を制御するための電磁気駆動ユニットとしてベース４に設置された一対のマグネット５及びブレード２に設置された平板コイル６を含む。
【０００５】
　前記平板コイル６には複数のパターンコイル（図示せず）が形成されており、ここに電流を通電させれば前記マグネット５との相互作用による電磁気力が発生してブレード２が駆動される。既存にはこのような平板コイル６の代りにブレード２の所定位置に巻かれる状態に設置されるワインディングコイルが採用されることもあったが、光ピックアップの小型軽量化のために平板コイル６がさらに好まれている。
【０００６】
　印刷回路本体８は、前記平板コイル６の各パターンコイルと前記ワイヤ７とを電気的に連結するためにブレード２に設置される。したがって、電源（図示せず）から供給される電流は前記ワイヤ７を通じて印刷回路本体８を経由した後、平板コイル６に供給される。
【０００７】
　しかし、前記のようにワイヤ７と平板コイル６とを連結するためにブレード２に印刷回路本体８を別途さらに設置すれば、部品数の増加はもちろん、駆動体であるブレード２の重さが約４０〜５０ｍｇ程度増加するので、アクチュエータの感度が低下する短所がある。そして、印刷回路本体８をブレード２の両側面にボンドで付着させるので、組み立て段階も増えるだけでなく、印刷回路本体８が付着された方向に駆動体の形状が長めになるので、ローリング、ピッチング、ヨーイングのような２次共振特性に悪影響を及ぼす。
【０００８】
　一方、このような短所を補完するために、ブレード及びワイヤが一体に形成された構造が提案された。しかし、このようにブレードに微細な複数のワイヤが一体に付着されている構造を作るには、金型設計に相当に難しさがあり、そのように作られるアクチュエータの２次共振特性もあまり良くないと知られている。
【０００９】
　したがって、このような従来の短所を解決できる構造の光ピックアップアクチュエータが要求されている。
【発明の開示】
【発明が解決しようとする課題】
【００１０】
　本発明が解決しようとする課題は、電流供給のためのワイヤとコイル間の連結構造を簡素化させることによってアクチュエータの感度及び生産性を向上させうるように改善された光ピックアップアクチュエータ及びそれを採用した光ディスクドライブを提供することである。
【課題を解決するための手段】
【００１１】
　前記課題を達成するための本発明の光ピックアップアクチュエータは、対物レンズが搭載されたブレードと、前記ブレードを所定ホルダに対して遊動可能に支持する複数のワイヤと、前記ブレードに設置されたコイルと、前記コイルに流れる電流との相互作用で電磁気力を発生させるマグネットと、前記ワイヤを通じて電源からの電流を前記コイルに供給できるように前記ワイヤ及びコイルを電気的に連結する連結手段と、を備える光ピックアップアクチュエータにおいて、前記連結手段は、前記コイルに接続され、前記ワイヤの一端部が連結されるように前記ブレード本体に設けられた導電性メッキ端子を含むことを特徴とする。
【００１２】
　また、前記課題を達成するための本発明の光ディスクドライブは、記録媒体であるディスクを回転させるスピンドルモータと、対物レンズの位置を制御する光ピックアップアクチュエータを備えてその対物レンズを通じて前記ディスクの所望の位置に光を照射して情報を記録または再生する光ピックアップと、を含む光ディスクドライブにおいて、前記光ピックアップアクチュエータは、対物レンズが搭載されたブレードと、前記ブレードを所定ホルダに対して遊動可能に支持する複数のワイヤと、前記ブレードに設置されたコイルと、前記コイルに流れる電流との相互作用で電磁気力を発生させるマグネットと、前記ワイヤを通じて電源からの電流を前記コイルに供給できるように前記ワイヤとコイルとを電気的に連結する連結手段と、を備え、前記連結手段は、前記コイルに接続され、前記ワイヤの一端部が連結されるように前記ブレード本体に設けられた導電性メッキ端子を含むことを特徴とする。
【発明の効果】
【００１３】
　本発明による光ピックアップアクチュエータ及びそれを採用した光ディスクドライブは次のような効果を有する。
【００１４】
　第一、ブレード本体に設けられた導電性メッキ端子を利用するために別途の印刷回路本体をブレードに付着させる必要がなくなって組み立て工程が簡素化し、駆動体も軽くなって感度向上を期待できる。
【００１５】
　第二、印刷回路本体をブレードの両側面に付着させる場合、駆動体の前後及び左右の非対称の程度が激しくなって副共振や２次共振特性が悪くなった問題点を解消できる。
【００１６】
　第三、部品数の減少で製品コストが節減される。
【発明を実施するための最良の形態】
【００１７】
　以下、添付された図面を参照して、本発明の望ましい実施例について詳細に説明する。
　図２は、本発明による光ディスクドライブに採用されるものであって、対物レンズの位置を調整しつつ記録や再生作業のためにスピンドルモータによって回転するディスクの所望の位置に光を照射させる光ピックアップアクチュエータを示す。
【００１８】
　図面を参照すれば、ベース４０上にホルダ３０が設けられており、対物レンズ１０を搭載したブレード２０は複数のワイヤ７０によってこのホルダ３０に遊動可能に支持されている。そして、前記ブレード２０をフォーカシング方向及びトラッキング方向に駆動させつつ対物レンズ１０の位置を制御する電磁気駆動ユニットとして、ベース４０に対向するように設置された一対のマグネット５０と、この一対のマグネット５０間に位置するように前記ブレード２０に設置された平板コイル６０とが備えられる。したがって、電源（図示せず）から前記ワイヤ７０を通じて平板コイル６０に電流が供給されれば、前記マグネット５０によって形成される磁界との相互作用によって電磁気力が発生してブレード２０が駆動する。
【００１９】
　一方、電流供給のために前記平板コイル６０とワイヤ７０とを電気的に連結するための手段として、モールドであるブレード２０本体側面に直接設けられた導電性メッキ端子８０が備えられる。この導電性メッキ端子８０は、例えば銀メッキ材質のように導電性に優れた材質で構成されることが望ましくて、前記平板コイル６０に接続する接続部８１と、前記ワイヤ７０の一端部が半田づけ固定される半田づけ部８２とよりなる。したがって、ワイヤ７０を通じて供給される電流は、前記メッキ端子８０の半田づけ部８２及び接続部８１を経て平板コイル６０に供給される。
【００２０】
　ここで、前記半田づけ部８２は、図面のように接続部８１に比べてブレード２０の本体の外方に多く突設されることが望ましい。このようにすれば、ブレード２０が左右に駆動される時、前記平板コイル６０のエッジ部分がワイヤ７０に接触することを防止できるからである。または、図３のように半田づけ部８２’を突出させる代わりにワイヤ７０が結合されるブレード２０’の本体の側面を突出させた形状に作っても良い。
【００２１】
　前記構成において、アクチュエータの制御が始まれば、電源から前記ワイヤ７０を通じて電流が供給され、その電流は前記導電性メッキ端子８０の半田づけ部８２及び接続部８１を経て平板コイル６０に形成されたパターンコイルに供給される。
【００２２】
　結果的に、本発明のアクチュエータは従来のような別途の印刷回路本体を使用せずに導電性メッキ端子８０だけでワイヤ７０と平板コイル６０とを電気的に連結して効果的な制御器具を構成したものである。
【産業上の利用可能性】
【００２３】
　本発明による光ピックアップアクチュエータ及び光ディスクドライブは、情報の記録及び再生装置に利用できる。
【図面の簡単な説明】
【００２４】
【図１】従来の光ピックアップアクチュエータを示す図面である。
【図２】本発明による光ピックアップアクチュエータを示す図面である。
【図３】図２に示された光ピックアップアクチュエータの変形可能な実施例を示す図面である。
【符号の説明】
【００２５】
　１０　対物レンズ
　２０　ブレード
　３０　ホルダ
　４０　ベース
　５０　マグネット
　６０　平板コイル
　７０　ワイヤ
　８０　導電性メッキ端子
　８１　接続部
　８２　半田づけ部
【図１】
2004127492.tif 000003
【図２】
2004127492.tif 000004
【図３】
2004127492.tif 000005